(57)【要約】【課題】温度や湿度を計測する機能のみならず、温度管理の目安とする温度ないし温度範囲や、湿度管理の目安とする湿度ないし湿度範囲を任意に設定して表示することができる機能をも有した計量器を提供する。【解決手段】温湿度計の本体となる器体１の正面に配設された文字盤２に、温度と湿度の実測値に対応する目盛を指し示す計測指針４、５とその目盛６、７が設けられると共に、温度管理の目安温度を表示するための目安指針１７、１８Ａ、１８Ｂと、湿度管理の目安湿度を表示するための目安指針１９、２０Ａ、２０Ｂが、器体１に対して、文字盤２に設けられた目盛６、７の任意の値を指し示す位置へ移動可能に取り付けられている。【選択図】図１
0003128130.tif 000002
【実用新案登録請求の範囲】
【請求項１】
温度計、湿度計又は温湿度計の本体となる器体の正面に配設された文字盤に、温度もしくは湿度の実測値に対応する目盛を指し示す計測指針とその目盛が設けられた計量器において、温度管理における目安温度もしくは湿度管理における目安湿度を表示するための目安指針が、前記器体に対して、前記目盛の任意の値を指し示す位置へ移動可能に取り付けられていることを特徴とする計量器。
【請求項２】
前記目安指針が、目安温度もしくは目安湿度の上限値および下限値を表示するための上限指針および下限指針で成る請求項１記載の計量器。
【請求項３】
前記目安指針が、前記上限指針および下限指針と、目安温度もしくは目安湿度の標準値を表示するための標準指針とで成る請求項２記載の計量器。
【請求項４】
前記目盛が、前記計測指針の針先部が振れ動く位置に沿って円弧状に設けられ、該目盛と対向する前記器体の周縁部に沿って、前記目安指針を摺動自在に取り付ける円弧状のスリットもしくは溝が形成されている請求項１、２又は３記載の計量器。
【考案の詳細な説明】
【技術分野】
【０００１】
本考案は、温度と湿度のいずれか一方を計測する温度計、湿度計や、温度と湿度の双方を計測する温湿度計等の計量器に係り、特に、温度計、湿度計又は温湿度計の本体となる器体の正面に配設された文字盤に、温度もしくは湿度の実測値に対応する目盛を指し示す計測指針とその目盛が設けられた計量器に関する。
【背景技術】
【０００２】
この種の計量器としては、熱膨張係数が異なる二枚の金属薄板を張り合わせたテープ状のバイメタルを渦巻き状や螺旋状とし、その一端を固定して、他端に取り付けた計測指針を振れ動かすバイメタル式温度計や、湿度の変化に応じて伸縮する毛髪等の伸縮量を梃子やプーリで拡大して計測指針を振れ動かす伸縮式湿度計や、それら温度計と湿度計の双方の機構を装備した温湿度計等があり、従来一般のものは、温度計、湿度計又は温湿度計の本体となる器体がプラスチックや金属、木材等で形成され、その器体の正面に、温度もしくは湿度の計測指針とその目盛が設けられた文字盤と、該文字盤を保護する透明なガラス板又はプラスチック板で成る前面カバーとが配設された構成となっている。
【０００３】
また、住宅やオフィスなどの室内の温湿度管理に使用する温湿度計としては、例えば図５に示す如く、ＡＢＳ樹脂等のプラスチックで成る器体３１の正面に配設された文字盤３２に、温度の計測指針３３と温度目盛３４が設けられると共に、湿度の計測指針３５と湿度目盛３６が設けられ、温度目盛３４における１８℃〜２６℃の温度範囲Ｘ１と、湿度目盛３６における相対湿度５０％〜７０％の湿度範囲Ｙ１に、暮らしに快適な温湿度範囲であることを明示する帯状の着色が施されると共に、「てきおん」の文字と「てきしつ」の文字が表示されたものがある（非特許文献１参照）。
【非特許文献１】株式会社佐藤計量器製作所（東京都千代田区神田西福田町３番地）平成１８年８月３０日発行のカタログ「Ａｍｅｎｉｔｙ  Ｌｉｆｅ  Ｎｏ．１３［くらしの温度・湿度計他カタログ］」第１３頁掲載の「ルームメイト温湿度計」
【０００４】
また、園芸用植物等を栽培する温室やビニールハウスの温湿度管理に使用する温湿度計としては、例えば図６に示す如く、円盤形の器体４１の正面に配設された円板形の文字盤４２に、温度の計測指針４３と温度目盛４４が設けられると共に、湿度の計測指針４５と湿度目盛４６が設けられ、温度目盛４４における１８℃〜２８℃の温度範囲Ｘ２と、湿度目盛４６における相対湿度４０％〜６５％の湿度範囲Ｙ２に、植物の栽培に適した温湿度範囲であることを明示する帯状の着色が施されたものがある（非特許文献２参照）。
【非特許文献２】株式会社佐藤計量器製作所（東京都千代田区神田西福田町３番地）平成１８年８月３０日発行のカタログ「Ａｍｅｎｉｔｙ  Ｌｉｆｅ  Ｎｏ．１３［くらしの温度・湿度計他カタログ］」第５８頁掲載の「Φ１００温湿度計  ＴＨ−１００」
【０００５】
上記のように、住宅等の室内の温湿度を暮らしに快適な範囲に管理するために使用する図５の温湿度計と、温室内やビニールハウス内の温湿度を植物の栽培に適した範囲に管理するために使用する図６の温湿度計とでは、温湿度管理の目安として表示されている温度範囲Ｘ１、Ｘ２や湿度範囲Ｙ１、Ｙ２が相違するため、互換性がなく、また、各々の用途も限定されるから、汎用性もない。
【０００６】
また、近時は、政府の省エネルギー対策の一環として、夏季における室内の冷房温度を２８℃に設定し、冬季における室内の暖房温度を２０℃に設定することが推奨されているが、図５の温湿度計は、１８℃〜２６℃の温度範囲Ｘ１を「てきおん」とする固定的な表示がなされているのみで、冷房温度２８℃や暖房温度２０℃というような任意の設定温度を表示し得る手段は有していないから、その設定温度と室内の実測温度とを随意に比較観察して空調装置の温度調整を小まめに行うように促すことができず、そのために、空調装置の調整を怠って省エネ効果が上がらないことが多い。
【０００７】
また、図５の温湿度計は、暮らしに快適な湿度範囲と言われる５０％〜７０％の湿度範囲Ｙ１を「てきしつ」とする表示がなされているが、夏季における室内の冷房温度を２８℃に設定した場合は、その室内の湿度を５０％以下としなければ快適に感じられず、湿度が６０％以上では蒸し暑く感じられるので、５０％〜７０％の湿度範囲Ｙ１を「てきしつ」とする表示に従って室内の湿度管理を行なうと、その湿度管理を誤ることとなり、結果、不快な蒸し暑さを解消するために、室内の冷房温度を「てきおん」と表示された１８℃〜２６℃の温度範囲Ｘ１まで低下せざるを得なくなって、省エネが図れないこととなる。
【０００８】
また、図６の温湿度計は、１８℃〜２８℃の温度範囲Ｘ２と、４０％〜６５％の湿度範囲Ｙ２を植物の栽培に適した温湿度範囲として表示するものであるが、その温湿度範囲は、あくまでも一般的な目安として表示されたものであり、植物の種類や生育時期等によっては、栽培に適した温湿度範囲が表示とは異なる場合がある。
【０００９】
また、近時は、昆虫類や爬虫類等の養殖が盛んであり、例えばオオクワガタを養殖する場合は、卵から、幼虫、蛹、成虫に至る各過程おいて飼育温度や湿度を厳密に管理する必要があるが、温湿度管理の目安とする温度範囲Ｘ１、Ｘ２や湿度範囲Ｙ１、Ｙ２が固定的に表示された図５および図６の温湿度計では、様々な温湿度管理に対応することができない。
【考案の開示】
【考案が解決しようとする課題】
【００１０】
本考案は、温度や湿度を計測する機能のみならず、温度管理の目安とする温度ないし温度範囲や、湿度管理の目安とする湿度ないし湿度範囲を任意に設定して表示することができる機能をも有した計量器を提供することを技術的課題としている。
【課題を解決するための手段】
【００１１】
上記の課題を解決するために、本考案は、温度計、湿度計又は温湿度計の本体となる器体の正面に配設された文字盤に、温度もしくは湿度の実測値に対応する目盛を指し示す計測指針とその目盛が設けられた計量器において、温度管理における目安温度もしくは湿度管理における目安湿度を表示するための目安指針が、前記器体に対して、前記目盛の任意の値を指し示す位置へ移動可能に取り付けられていることを特徴とする。
【考案の効果】
【００１２】
本考案によれば、温度計、湿度計又は温湿度計の本体となる器体の正面に配設した文字盤に設けられている計測指針とその目盛によって、温度もしくは湿度の実測値を知ることができると同時に、文字盤に設けられた目盛の任意の値を指し示す位置へ移動可能に取り付けられた目安指針によって、温度管理における目安温度もしくは湿度管理における目安湿度を任意に設定して表示することができるから、様々な条件に適応した温度管理や湿度管理を確実に行なうことが可能になるという優れた効果がある。
【考案を実施するための最良の形態】
【００１３】
本考案の最良の実施形態は、温度計、湿度計又は温湿度計の本体となる器体の正面に配設された文字盤に、温度もしくは湿度の実測値に対応する目盛を指し示す計測指針とその目盛が設けられると共に、温度管理における目安温度もしくは湿度管理における目安湿度を表示するための目安指針が、器体に対して、文字盤に設けられた目盛の任意の値を指し示す位置へ移動可能に取り付けられている。
【００１４】
また、文字盤の目盛は、計測指針の針先部が振れ動く位置に沿って円弧状に設けられ、その目盛と対向する器体の周縁部に沿って、目安指針を摺動自在に取り付ける円弧状のスリットもしくは溝が形成されている。なお、目安指針は、目安温度もしくは目安湿度の標準値を表示するための標準指針となるものを１本だけ取り付けても良いし、目安温度もしくは目安湿度の上限値および下限値を表示するための上限指針および下限指針となるものを２本取り付けるか、あるいは標準指針、上限指針および下限指針となるものを３本取り付けるものであっても良い。
【実施例】
【００１５】
図１は本考案に係る計量器の一例を示す斜視図、図２はその計量器の一部を分解して示す斜視図、図３および図４は夫々その計量器の側面図および背面図である。
【００１６】
本例の計量器は、温度と湿度の双方を計測することができる温湿度計であって、その本体となる円盤形の器体１の正面に、円板形の文字盤２と、透明なガラス板又はプラスチック板で成る円板形の前面カバー３とが配設されている。
【００１７】
文字盤２は、その上半部で振れ動く温度の計測指針４と、その下半部で振れ動く湿度の計測指針５とが、同軸的に設けられると共に、上半部の表面に、測定範囲−２０℃〜４０℃の温度目盛６が、計測指針４の針先部が振れ動く位置に沿って円弧状に設けられ、また、下半部の表面に、測定範囲１０％〜９０％の湿度目盛７が、計測指針５の針先部が振れ動く位置に沿って円弧状に設けられている。
【００１８】
器体１は、温度の計測指針４を振れ動かすバイメタル式温度計の機構部と湿度の計測指針５を振れ動かす毛髪式湿度計の機構部とを収容する円盤形のハウジング部８と、円板形の前面カバー３と文字盤２を内側に嵌め付けた状態でハウジング部８の正面外周部に冠着させて該ハウジング部８の正面に前面カバー３と文字盤２を取り付ける円環形の周枠部９とで形成されている。なお、ハウジング部８は、ＡＢＳ樹脂等の硬質プラスチックで形成され、周枠部９は、ＡＢＳ樹脂等の硬質プラスチックもしくはアルミ合金等の金属で形成されている。
【００１９】
また、ハウジング部８は、周枠部９を冠着させる正面外周部に沿って、周枠部９の内側に嵌る円環状のフランジ１０が形成されると共に、該フランジ１０の上下に、円弧状の切欠き１１および１２が形成されており、そのハウジング部８の正面外周部に周枠部９が冠着されて該周枠部９の内側にフランジ１０が嵌ったときに、該フランジ１０に形成された切欠き１１および１２と周枠部９とによって、文字盤２に設けられた円弧状の温度目盛６および湿度目盛７と並行する円弧状のスリット１３および１４が形成されるようになっている。なお、ハウジング部８の背面には、通気孔となる複数のスリット１５、１５…と、器体１を室内の壁などに設けたフックに引掛けて設置するためのフック孔１６が形成されている。
【００２０】
また、図示は省略するが、周枠部９によってハウジング部８の正面外周部に取り付けられる文字盤２の外周部の上下には、該文字盤２の表面に設けられた円弧状の温度目盛６および湿度目盛７の任意の値を指し示す後述の目安指針を移動可能に取り付けるために、ハウジング部８のフランジ１０に形成された円弧状の切欠き１１および１２と重なり合う位置に夫々円弧状の切欠きが形成されている。
【００２１】
そして、器体１には、温度管理における目安温度の標準値、上限値および下限値を表示するための標準指針１７、上限指針１８Ａおよび下限指針１８Ｂとなる３本の目安指針が、文字盤２に設けられた温度目盛６の任意の値を指し示す位置へ移動可能に取り付けられると共に、湿度管理における目安湿度の標準値、上限値および下限値を表示するための標準指針１９、上限指針２０Ａおよび下限指針２０Ｂとなる３本の目安指針が、文字盤２に設けられた湿度目盛７の任意の値を指し示す位置へ移動可能に取り付けられている。
【００２２】
なお、上記目安指針１７、１８Ａ、１８Ｂ、１９、２０Ａ、２０Ｂは、文字盤２の外周部からその表面と平行に突出せられる先鋭な針部２１と、周枠部９の周縁に対して該周縁に沿って摺動自在に外嵌されるコ字状の基端部２２とで形成され、該基端部２２を手の指先で摘まんで周枠部９の周縁に沿って摺動させると、針部２１が文字盤２の表面に設けられた円弧状の温度目盛６もしくは湿度目盛７に沿って移動するようになっている。
【００２３】
そして、温度管理の目安指針となる標準指針１７、上限指針１８Ａおよび下限指針１８Ｂと、湿度管理の目安指針となる標準指針１９、上限指針２０Ａおよび下限指針２０Ｂとを、文字盤２の外周部の上下に分かれるように配してその上下に形成された上記円弧状の切欠きに各々の針部２１を引っ掛けると共に、各々の基端部２２を周枠部９の周縁に外嵌させた状態として、周枠部９をハウジング部８の正面外周部に冠着させることにより、周枠部９とハウジング部８とが合体して器体１が組み立てられると同時に、標準指針１７、上限指針１８Ａおよび下限指針１８Ｂを温度目盛６と対向する器体１の周縁部に沿って摺動自在に取り付ける円弧状のスリット１３と、標準指針１９、上限指針２０Ａおよび下限指針２０Ｂを湿度目盛７と対向する器体１の周縁部に沿って摺動自在に取り付ける円弧状のスリット１４とが形成されるようになっている。
【００２４】
以上の如く構成された温湿度計は、温度と湿度を計測することができるだけでなく、温度管理の目安とする温度や温度範囲を標準指針１７、上限指針１８Ａおよび下限指針１８Ｂで任意に設定して表示することができると共に、湿度管理の目安とする湿度や湿度範囲を標準指針１９、上限指針２０Ａおよび下限指針２０Ｂで任意に設定して表示することができるから、様々な条件の温湿度管理に対応してその温湿度管理を適切に行なうことが可能となり、非常に有用性が高い。
【００２５】
なお、温度の目安指針は、標準指針１７のみ、もしくは上限指針１８Ａおよび下限指針１８Ｂのみであってもよく、湿度の目安指針も、標準指針１９のみ、もしくは上限指針２０Ａおよび下限指針２０Ｂのみであってもよい。また、実施例では、文字盤２に設けられた温度目盛６および湿度目盛７と対向する器体１の周縁部に沿って、標準指針１７、上限指針１８Ａおよび下限指針１８Ｂを摺動自在に取り付ける円弧状のスリット１３と、標準指針１９、上限指針２０Ａおよび下限指針２０Ｂ摺動自在に取り付ける円弧状のスリット１４が形成されているが、目安指針を摺動自在に取り付ける構成は、スリットに限らず溝であってもよい。また、本考案の計量器は、温湿度計に限らず、温度計あるいは湿度計であってもよい。
【産業上の利用可能性】
【００２６】
本考案は、温度計、湿度計又は温湿度計に、温度管理における目安温度もしくは湿度管理における目安湿度を任意に設定して表示することができる機能を付与し、その有用性の向上に資するものである。
【図面の簡単な説明】
【００２７】
【図１】本考案に係る計量器の一例を示す斜視図
【図２】図１に示す計量器の分解斜視図
【図３】図１に示す計量器の側面図
【図４】図１に示す計量器の背面図
【図５】従来の計量器を示す斜視図
【図６】従来の計量器を示す斜視図
【符号の説明】
【００２８】
１    器体
２    文字盤
３    前面カバー
４    温度の計測指針
５    湿度の計測指針
６    温度目盛
７    湿度目盛
８    器体のハウジング部
９    器体の周枠部
１０    ハウジング部のフランジ
１１    フランジの切欠き
１２    フランジの切欠き
１３    円弧状のスリット
１４    円弧状のスリット
１７    標準指針（目安指針）
１８Ａ  上限指針（目安指針）
１８Ｂ  下限指針（目安指針）
１９    標準指針（目安指針）
２０Ａ  上限指針（目安指針）
２０Ｂ  下限指針（目安指針）
【図１】
0003128130.tif 000003
【図２】
0003128130.tif 000004
【図３】
0003128130.tif 000005
【図４】
0003128130.tif 000006
【図５】
0003128130.tif 000007
【図６】
0003128130.tif 000008
【手続補正書】
【提出日】平成18年10月25日(2006.10.25)
【手続補正１】
【補正対象書類名】図面
【補正対象項目名】図５
【補正方法】変更
【補正の内容】
【図５】
0003128130.tif 000009
【手続補正２】
【補正対象書類名】図面
【補正対象項目名】図６
【補正方法】変更
【補正の内容】
【図６】
0003128130.tif 000010